(57)【要約】【課題】  排水管に落下した指輪、イヤリング等の小物を容易に回収出来るようにする。【解決手段】  洗面ボウル等の水槽からそれに接続された排水管４１に落下した指輪、イヤリング等の小物は、ケーシング２５の底部の小物貯留室４５内に落ち込む。ところで、小物貯留室４５内の排水が排水トラップ２０内の排水の流れから外れてよどんだ状態となっており、且つ、小物貯留室内４５に落ち込んだ小物は小物貯留室４５の側周壁が障壁となり小物貯留室４５から脱出困難であるので、小物貯留室４５内に落ち込んだ小物は小物貯留室４５内に留まる。そのため、接続具４２を排水管接続筒２２から外した後、トラップ本体２４を上方に取り出し、トラップ本体２４を逆さまにすることにより、小物を入口３４又は出口３５より回収することが出来る。【選択図】  図１
2005220543.tif 000002
【特許請求の範囲】
【請求項１】
内周面下部に内方張出縁を有する排水管接続筒と、この排水管接続筒の内方張出縁に、上端に設けられた外方張出縁が載せられたトラップ本体とを有しており、前記トラップ本体が、上端に前記外方張出縁が設けられた上面開放の有底筒状のケーシングと、このケーシング内を入口側室と出口側室とに区画する仕切り体とを有しており、前記仕切り体が、入口側室の上部に入口を形成するように、且つ、出口側室の上方を閉塞するようにしてケーシングに設けられた上部閉塞壁と、この上部閉塞壁の、入口に対向する縁に垂下状に設けられ、且つ、ケーシングの底壁との間に連通開口を形成するようになされた垂下壁とを有し、前記出口側室を形成する、ケーシングの側周壁に出口が連通開口の上縁より上方に位置するようにして形成され、前記排水管接続筒に排水本管が下側から接続されるようになされ、前記排水管接続筒に、洗面ボウル等の水槽に接続された排水管が上側から着脱自在に接続されるようになされた排水トラップにおいて、前記ケーシングの底壁にその底壁の内面平面形状より小さな開口が形成され、この開口の周縁部に上面開放の有底筒状の小物貯留室が下方突出状に設けられている排水トラップ。
【発明の詳細な説明】
【技術分野】
【０００１】
本発明は排水トラップに関する。
【背景技術】
【０００２】
従来、この種の排水トラップとして以下の如きものは知られている。
内周面下部に内方張出縁を有する排水管接続筒と、この排水管接続筒の内方張出縁に、上端に設けられた外方張出縁が載せられたトラップ本体とを有しており、前記トラップ本体が、上端に前記外方張出縁が設けられた上面開放の有底筒状のケーシングと、このケーシング内を入口側室と出口側室とに区画する仕切り体とを有しており、前記仕切り体が、入口側室の上部に入口を形成するように、且つ、出口側室の上方を閉塞するようにしてケーシングに設けられた上部閉塞壁と、この上部閉塞壁の、入口に対向する縁に垂下状に設けられ、且つ、ケーシングの底壁との間に連通開口を形成するようになされた垂下壁とを有し、前記出口側室を形成する、ケーシングの側周壁に出口が連通開口の上縁より上方に位置するようにして形成され、前記排水管接続筒に排水本管が下側から接続されるようになされ、前記排水管接続筒に、洗面ボウル等の水槽に接続された排水管が上側から着脱自在に接続されるようになされたものは知られている。
【特許文献１】特開平９−２７９，６５２号公報
【発明の開示】
【発明が解決しようとする課題】
【０００３】
前記従来の排水トラップには以下の如き欠点があった。
洗面ボウル等の水槽からそれに接続された排水管に落下した指輪、イヤリング等の小物は、一旦ケーシングの底壁に乗るかたちにはなるが、そこに留まらずに、その後、排水の流れに乗って出口から下側の排水本管に流出してしまうことが多く、その結果、小物を回収することが出来ないことが多いという欠点があった。なお、ケーシングの底壁と出口下縁との距離を、小物が出口から流出しない程に長くすればよいが、そのようにすれば、排水トラップの全体長さが長くなり、そのような排水トラップは、省スペースの商品とはならないので、商品としての価値はない。
【課題を解決するための手段】
【０００４】
本発明は前記欠点を解消するために以下の如き手段を採用した。
請求項１の発明は、内周面下部に内方張出縁を有する排水管接続筒と、この排水管接続筒の内方張出縁に、上端に設けられた外方張出縁が載せられたトラップ本体とを有しており、前記トラップ本体が、上端に前記外方張出縁が設けられた上面開放の有底筒状のケーシングと、このケーシング内を入口側室と出口側室とに区画する仕切り体とを有しており、前記仕切り体が、入口側室の上部に入口を形成するように、且つ、出口側室の上方を閉塞するようにしてケーシングに設けられた上部閉塞壁と、この上部閉塞壁の、入口に対向する縁に垂下状に設けられ、且つ、ケーシングの底壁との間に連通開口を形成するようになされた垂下壁とを有し、前記出口側室を形成する、ケーシングの側周壁に出口が連通開口の上縁より上方に位置するようにして形成され、前記排水管接続筒に排水本管が下側から接続されるようになされ、前記排水管接続筒に、洗面ボウル等の水槽に接続された排水管が上側から着脱自在に接続されるようになされた排水トラップにおいて、前記ケーシングの底壁にその底壁の内面平面形状より小さな開口が形成され、この開口の周縁部に上面開放の有底筒状の小物貯留室が下方突出状に設けられているものである。
【発明の効果】
【０００５】
本発明は前記した如き構成によって以下の如き効果を奏する。
請求項１の発明によれば、以下の理由により、排水管に落下した指輪、イヤリング等の小物を小物貯留室に溜めることが出来るので、トラップ本体を排水管接続筒から上方に引き抜くことにより、容易に小物を回収することが出来る。小物貯留室に小物を溜めることが出来るのは、小物貯留室内の排水は排水トラップ内の排水の流れから外れてよどんだ状態となっていて小物貯留室内に落ち込んだ小物が排水の流れに乗らないこと及び小物貯留室内に落ち込んだ小物は小物貯留室の側周壁が障壁となり小物貯留室から脱出困難であることの２つの理由による。なお、本発明では、出口からの小物の流出を防ぐようにケーシングの底壁と出口下縁との距離を長くする場合に比較して、小物貯留室の高さ（上下長さ）は短くて済むので、排水トラップを省スペースの商品とすることが出来る。
【発明を実施するための最良の形態】
【０００６】
以下に本発明の実施の形態を説明する。
【０００７】
建物１の基礎床（図示略）の上に、根太（図示略）等を介して床板３が、基礎床との間に空隙をあけるようにして、施工されている。
【０００８】
前記床板３には上下方向に貫通する貫通孔４が形成され、この貫通孔４を通じて建物１側の排水本管６の立ち上がり部７の上部が床板３の上方に露出している。
【０００９】
前記床板３の上面には、周知の洗面台等の水槽付きキャビネット１１が載置されている。水槽付きキャビネット１１の底板１２と床板３との間には周知のごとく空隙１３が形成されている。前記空隙１３は、水槽付きキャビネット１１の底板１２、前側の蹴込板（図示略）、左右の側板（図示略）及び後側の背板（図示略）により囲まれている。前記底板１２の上方は物品収納空間１４となされ、その上方に水槽付きキャビネット１１の天板（図示略）が位置し、この天板に水槽（図示略）が設けられている。
【００１０】
前記底板１２には上下方向に貫通する貫通孔１６が形成され、この貫通孔１６に前記立ち上がり部７の上端部が嵌められている。
【００１１】
前記立ち上がり部７の上端部に排水トラップ２０が、後述するようにして嵌め止められている。
前記排水トラップ２０は、内周面下部に内方張出縁２１を有する排水管接続筒２２と、この排水管接続筒２２の内方張出縁２１に、上端に設けられた外方張出縁２６が載せられたトラップ本体２４とを有している。
【００１２】
前記トラップ本体２４は、上端に前記外方張出縁２６が設けられた上面開放の有底筒状のケーシング２５と、このケーシング２５内を入口側室２８と出口側室２９とに区画する仕切り体３０とを有している。
【００１３】
前記仕切り体３０は、入口側室２８の上部に入口３４を形成するように、且つ、出口側室２９の上方を閉塞するようにしてケーシング２５に設けられた上部閉塞壁３１と、この上部閉塞壁３１の、入口３４に対向する縁に垂下状に設けられ、且つ、ケーシング２５の底壁３７との間に連通開口３９を形成するようになされた垂下壁３２とを有している。
【００１４】
前記出口側室２９を形成する、ケーシング２５の側周壁３８に出口３５が連通開口３９の上縁より上方に位置するようにして形成されている。
【００１５】
前記排水管接続筒２２が排水本管６の立ち上がり部７に嵌入・接続され、前記排水管接続筒２２に、水槽付きキャビネット１１の水槽（図示略）に接続された可撓性の排水管４１の下端に設けられた可撓性の接続具４２が着脱自在に嵌入・接続されている。
【００１６】
前記ケーシング２５の底壁３７にその底壁３７の内面平面形状より小さな開口４４（例えば、円形の開口）が形成され、この開口４４の周縁部に上面開放の有底筒状の小物貯留室４５が下方突出状に設けられている。この小物貯留室４５の内径は、例えば２０ｍｍで、内側の高さは２０ｍｍである。しかし、小物貯留室４５の大きさは前記寸法に限定されない。
【００１７】
上記において、排水は図１の矢印に示すように流れる。
【００１８】
水槽からそれに接続された排水管４１に落下した指輪、イヤリング等の小物は、ケーシング２５の底部の小物貯留室４５内に落ち込む。ところで、小物貯留室４５内の排水が排水トラップ２０内の排水の流れから外れてよどんだ状態となっており、且つ、小物貯留室内４５に落ち込んだ小物は小物貯留室４５の側周壁が障壁となり小物貯留室４５から脱出困難であるので、小物貯留室４５内に落ち込んだ小物は小物貯留室４５内に留まる。そのため、接続具４２を排水管接続筒２２から外した後、トラップ本体２４を上方に取り出し、トラップ本体２４を逆さまにすることにより、小物を入口３４又は出口３５より回収することが出来る。その後、前記と逆の操作でトラップ本体２４等を元の状態にセットする。
【００１９】
以下に変形例等について説明を加える。
（１）排水トラップ２０の設置場所は任意である。
（２）内方張出縁２１及び外方張出縁２６は環状でなくてもよい。内方張出縁２１に外方張出縁２６が載るようにさえなっていればよい。
【図面の簡単な説明】
【００２０】
【図１】本発明の実施の形態を示す縦断面図である。
【図２】図１のＩＩ−ＩＩ線に沿う一部破砕の断面図である。
【符号の説明】
【００２１】
６  排水本管
７  立ち上がり部
２０  排水トラップ
２１  内方張出縁
２２  排水管接続筒
２４  トラップ本体
２５  ケーシング
２６  外方張出縁
２８  入口側室
２９  出口側室
３０  仕切り体
３１  上部閉塞壁
３２  垂下壁
３４  入口
３５  出口
３７  底壁
３８  側周壁
３９  連通開口
４１  排水管
４２  接続具
４４  開口
４５  小物貯留室
【図１】
2005220543.tif 000003
【図２】
2005220543.tif 000004